(57)【要約】      （修正有）【課題】成長が早く、しかも青枯れ病などの病害が発生しない水耕栽培の提供。【解決手段】上部に栽培槽１を有し、下部に養液を蓄えた養液槽２を備え、養液を揚水するための所謂エアーリフト方式の揚水ポンプ３を前記の栽培槽に取り付け、栽培槽には小粒の軽石４を敷き詰め、養液槽の底には栽培槽に敷き詰めた小粒の軽石と同種の軽石を敷き詰め、この養液槽の軽石の下方に気泡発生用のエアーマット６を敷き、このエアーマットと前記の揚水ポンプにエアーポンプを接続して、養液中に気泡を吹き込むと同時に養液の揚水を行う水耕栽培装置であり、養液槽内の養液の成分は十分に発酵分解された汚泥や堆肥成分に積極的に酵母菌や放線菌や乳酸菌などの有用菌を付加した有機肥料成分を肥料とすることを特徴とする水耕栽培装置である。【選択図】図１
2006006301.tif 000002
【特許請求の範囲】
【請求項１】
上部に栽培槽を有し、下部に養液を蓄えた養液槽を備え、養液を揚水するための所謂エアリフト方式の揚水ポンプを前記の栽培槽に取り付け、栽培槽には小粒の軽石を敷き詰め、養液槽の底には栽培槽に敷き詰めた小粒の軽石と同種の軽石と担体（発泡プラスチック筒体、活性炭、牡蠣殻など）を敷き詰め、この養液槽の軽石の下方に気泡発生用のエアーマットを敷き、このエアーマットと前記の揚水ポンプにエアーポンプを接続し、養液中に気泡を吹き込むと同時に養液の揚水を行う水耕栽培装置とし、養液槽内の養液の成分は十分に発酵分解された汚泥や堆肥成分に積極的に酵母菌、放線菌、乳酸菌などの有用菌を付加した有機肥料成分を肥料とすることを特徴とする水耕栽培装置。
【発明の詳細な説明】
【技術分野】
【０００１】  本発明は家庭用の水耕栽培装置に関するものである。
【背景技術】
【０００２】  従来の水耕栽培装置は特公平０７−１０２０５号や特開平０９−０２３７６７号に示すように、空気浮揚ポンプ（エアーポンプ）や潅水装置の改良に関するものが多い。
しかし、従来の水耕栽培装置は純粋の肥料成分を主体としたいわゆる化学的な肥料が使用されてきた。この化学的な肥料は植物に早く吸収され、発育の促進には卓越した効果を発揮するが、一方、この種の栽培方法は植物の純粋培養に近いため、容易に有害菌（青枯れ病菌など）が増殖し、たとえば、トマトや茄子の青枯れ病などを頻発させる危惧あった。【０００３】  また、病気予防のために、たとえば特許３１４３４１６号のように水耕栽培装置の培養液に特定の薬品を添加する栽培方法が開示されている。しかし、水耕栽培装置の培養液に特定の薬品を添加することによって、たとえばＯ−１５７菌を殺菌したとしても、他の有用菌を殺菌するなどの副作用があり、結果として、トマトや茄子の青枯れ病などは予防できない欠点があった。
【特許文献１】特公平０７−１０２０５号
【特許文献２】特開平０９−０２３７６７号
【特許文献３】特許３１４３４１６号
【発明の開示】
【発明が解決しようとする課題】
【０００４】  上記のように特公平０７−１０２０５号や特開平０９−０２３７６７号に示すように、空気浮揚ポンプ（エアーポンプ）や潅水装置の改良に関するものが多く、また、特許３１４３４１６号のように水耕栽培装置の培養液に特定の薬品を添加する栽培方法が開示されているが、それぞれ、ハードに属する水耕栽培装置とソフトに属する水耕栽培方法が個別に改良または発明されてきたものが多い。
しかし、本来このハードとソフトを個別に考えられてきた水耕栽培装置と水耕栽培方法を融合して一体的に取り扱い、改良、改善、新発明が為されるべきものである。
即ち、従来のハードの水耕栽培装置は純粋の肥料成分を主体としたいわゆる化学的な肥料が使用されてきた。この化学的な肥料は植物に早く吸収され、発育の促進には卓越した効果を発揮するが、一方、この種の栽培方法は植物の純粋培養に近いため、容易に有害菌による、たとえば、トマトや茄子の青枯れ病などを頻発させる危惧あった。また、ソフトの肥料としては特許３１４３４１６号のように水耕栽培装置の培養液に特定の薬品を添加することによって、たとえばＯ−１５７菌を殺菌するなどの栽培方法がとられてきた。このようにハードとソフトを別個に開発してきた水耕栽培装置と栽培方法では解決できない課題、たとえば生育がはやくしかも病気なり難い水耕栽培装置はできない。
本発明はこの従来の課題に取り組み、ハード、ソフトを一体に取り扱い、従来にない有機肥料を主体とした生育がはやくしかも病気なり難い水耕栽培装置を提供しようとするものである。
【課題を解決するための手段】
【０００５】  この課題を解決するための技術的手段は次の通りである。
即ち、上部に栽培槽を有し、下部に養液を蓄えた養液槽を備え、養液を揚水するための所謂エアーリフト方式の揚水ポンプを前記の栽培槽に取り付け、栽培槽には小粒の軽石を敷き詰め、養液槽の底には栽培槽に敷き詰めた小粒の軽石と同種の軽石を敷き詰め、この養液槽の軽石の下方に気泡発生用のエアーマットを敷き、このエアーマットと前記の揚水ポンプにエアーポンプを接続して、養液中に気泡を吹き込むと同時に養液の揚水を行う水耕栽培装置であり、養液槽内の養液の成分は十分に発酵分解された汚泥や堆肥成分に積極的に酵母菌や放線菌や乳酸菌などの有用菌を付加した有機肥料成分を肥料とすることを特徴とする水耕栽培装置である。
【発明の効果】
【０００６】  本発明の有機水耕栽培装置は水耕栽培装置内で有機物の生分解と植物有用菌、植物有用酵母菌などを培養し、植物有用菌や植物有用酵素などを増殖させて、植物の有害菌による、たとえば、トマトや茄子の青枯れ病菌などの発生を抑制し、更に、有機物の生分解による生成物を肥料とするので、植物の生育を促進するとともに、病気に罹りにくい、従来にない新規な有機水耕栽培装置が提供できる。
【発明を実施するための最良の形態】
【０００７】  有機肥料を主体とした栽培植物の生育がはやく、しかも栽培植物が病気なり難い水耕栽培装置を実現した。
【実施例１】
【０００８】  本発明を実施するための最良の形態を実施例にもとづき図面を参照して説明する。
図１は本発明の有機水耕栽培装置の断面図である。図２は水位計の部分断面図である。図３は本発明の有機水耕栽培装置の平面図である。
図１、図２、図３において、栽培槽１の下方に養液槽２を備え、養液Ａを揚水するためのエアーリフト方式の揚水ポンプ３を栽培槽１に図のように取り付け、栽培槽１には小粒の軽石４を敷き詰め、養液槽２の底には前記の小粒の軽石と同種の軽石４’と培養菌を培養するための担体５（通常、発泡プラスチック筒体、活性炭、牡蠣殻など）を厚み１０〜３０ｍｍ程度に敷き詰め、この軽石４’と担体５の下方に気泡発生用のエアーマット６を敷き、このエアーマット６と前記の揚水ポンプ３にエアーポンプ７を接続して養液Ａ中に気泡を吹き込むと同時に養液Ａの揚水を行う水耕栽培装置とし、養液槽２内の養液Ａの成分は十分に発酵分解された汚泥や堆肥成分に積極的に酵母菌や放線菌や乳酸菌などを付加した有機肥料成分を肥料とすることを特徴とする有機水耕栽培装置である。
尚、栽培槽１内の流水は小穴を多数あけた排出口８より養液槽２へ戻される。９は養液Ａを排水するための排水コック、１０は養液Ａの水位を指示するフロートである。
次に本発明の実施例の作用と効用を説明する。
栽培槽１の小粒の軽石４は保水性と通気性がよく、植物の生育促進に有効で、後述の有用菌の保持、繁殖に効用がある。エアーリフト方式の揚水ポンプ３は空気Ｂを養液Ａに吹き込んで揚水するので、エアーリッチな養液Ａの供給ができるので、植物の生育促進に役立ち、軽石４に付着した好気性有用菌の培養にも効果がある。
養液槽２の底には栽培槽１の軽石と同種の軽石４’と培養菌を培養する担体５（通常、発泡プラスチック筒体、活性炭、牡蠣殻など）を敷き詰め、この下にエアーマット６を敷き、エアーポンプ７に接続して養液Ａ中に気泡を吹き込むようになっている。栽培槽１の軽石と同種の軽石４’を混在させる理由は繁殖した有用菌が軽石４’に馴染ませて、栽培槽１の同種の軽石４に有用菌などが担持され易くするためである。
このようにして、汚泥や堆肥成分に積極的に酵母菌や放線菌や乳酸菌などを付加することにより、細菌のバランスは有用菌が豊富になって、青枯れ病などの有害菌の増殖を抑制する効果を発揮する。
【産業上の利用可能性】
【０００９】  本発明の実施例は家庭用の水耕栽培装置について開示しているが、装置の大型な農業用の水耕栽培装置にも適用できる。
【図面の簡単な説明】
【００１０】
【図１】本発明の有機水耕栽培装置の断面図である。
【図２】本発明の有機水耕栽培装置の水位計の部分断面図である。
【図３】本発明の有機水耕栽培装置の平面図である。
【符号の説明】
【００１１】  １  栽培槽
２  養液槽
３  揚水ポンプ
４  軽石
５  担体
６  エアーマット
７  エアーポンプ
８  排出口
９  排水コック
１０  フロート
【図１】
2006006301.tif 000003
【図２】
2006006301.tif 000004
【図３】
2006006301.tif 000005